【手続補正書】
【提出日】平成17年12月27日(2005.12.27)
【手続補正１】
【補正対象書類名】明細書
【補正対象項目名】発明の名称
【補正方法】変更
【補正の内容】
【発明の名称】侵入検知装置
【手続補正２】
【補正対象書類名】明細書
【補正対象項目名】特許請求の範囲
【補正方法】変更
【補正の内容】
【特許請求の範囲】
【請求項１】  送信スペクトル拡散符号を放射する送信用漏洩伝送路と、侵入検知区域を挟んで上記送信用漏洩伝送路と対向して配置され上記送信スペクトル拡散符号を受信する受信用漏洩伝送路と、基準クロック信号を発生する基準クロック発生手段と、起動信号を出力する制御手段と、この制御手段からの上記起動信号で作動して上記基準クロック発生手段からの上記基準クロック信号を出力するスイッチ手段と、このスイッチ手段からの上記基準クロック信号から送信用拡散符号を生成し、上記送信用拡散符号で拡散変調された上記送信スペクトル拡散信号を発生する送信スペクトル拡散信号発生手段と、侵入を測定しようとする上記侵入検知区域を複数の領域に分割して、上記侵入検知区域の起点から上記各領域までの測定距離にそれぞれ対応するように設定され、上記測定距離に対応した遅延時間の参照用拡散符号を上記基準クロック信号から生成し、上記参照用拡散符号で拡散変調された参照スペクトル拡散信号を出力する複数の参照スペクトル拡散信号発生手段と、この参照スペクトル拡散信号発生手段と対応して、上記受信用漏洩伝送路が受信した上記送信スペクトル拡散信号と上記参照スペクトル拡散信号との相関をとり、位相が一致したときに相関信号を出力する複数の相関手段と、上記各遅延時間に対する上記相関信号の信号レベルの変動量が設定値以上のときに上記侵入検知区域への侵入を検知する検知手段とを備えた侵入検知装置。
【請求項２】  送信スペクトル拡散信号を放射する送信用漏洩伝送路と、侵入検知区域を挟んで上記送信用漏洩伝送路と対向して配置され、上記送信スペクトル拡散信号を受信する受信用漏洩伝送路と、基準クロック信号を発生する基準クロック発生手段と、侵入を測定しようとする上記侵入検知区域を複数の領域に分割して、上記侵入検知区域の起点から上記各領域までの測定距離に対応した測定距離信号及び上記各測定距離に対応した遅延時間を出力し、起動信号を出力する制御手段と、この制御手段からの上記起動信号により作動して上記基準クロック発生手段からの上記基準クロック信号を出力するスイッチ手段と、上記基準クロック信号から送信用拡散符号を生成し、上記送信用拡散符号で拡散変調された上記送信スペクトル拡散信号を発生する送信スペクトル拡散信号発生手段と、上記制御手段からの上記遅延時間に対応するように設定され、上記遅延時間に対応した参照用拡散符号を上記基準クロック信号から生成し、上記参照用拡散符号で拡散変調された参照スペクトル拡散信号を出力する複数の参照スペクトル拡散信号発生手段と、この参照スペクトル拡散信号発生手段と対応し、上記受信用漏洩伝送路が受信した上記送信スペクトル拡散信号と上記参照スペクトル拡散信号との相関をとり、位相が一致したときに相関信号を出力する複数の相関手段と、上記遅延時間に対する上記相関信号の信号レベルの変動量が設定値以上のときに上記侵入検知区域への侵入を検知する検知手段とを備えた侵入検知装置。
【請求項３】  送信スペクトル拡散信号を放射する送信用漏洩伝送路と、侵入検知区域を挟んで上記送信用漏洩伝送路と対向して配置され、上記送信スペクトル拡散信号を受信する受信用漏洩伝送路と、基準クロック信号を発生する基準クロック発生手段と、上記基準クロック信号から送信用拡散符号を生成し、上記送信用拡散符号で拡散変調された上記送信スペクトル拡散信号を出力し、上記送信用拡散符号の一周期毎にパルス信号を出力する送信スペクトル拡散信号発生手段と、侵入を測定しようとする上記侵入検知区域を複数の領域に分割して、上記侵入検知区域の起点から上記各領域までの測定距離に対応した測定距離信号及び上記各測定距離に対応した遅延時間を出力し、上記パルス信号によりスイッチ信号を出力する制御手段と、この制御手段からの上記スイッチ信号により作動されて上記基準クロック信号を出力するスイッチ手段と、上記遅延時間により所定の測定距離に対応するように設定され、上記制御手段からの上記遅延時間に対応した参照用拡散符号を上記基準クロック信号から生成し、上記参照用拡散符号で拡散変調された参照スペクトル拡散信号を出力する複数の参照スペクトル拡散信号発生手段と、この参照スペクトル拡散信号発生手段と対応し、上記受信用漏洩伝送路が受信した上記送信スペクトル拡散信号と上記参照スペクトル拡散信号との相関をとり、位相が一致したときに相関信号を出力する複数の相関手段と、上記遅延時間に対する上記相関信号の信号レベルの変動量が設定値以上のときに上記侵入検知区域への侵入を検知する検知手段とを備えた侵入検知装置。
【手続補正３】
【補正対象書類名】明細書
【補正対象項目名】０００４
【補正方法】変更
【補正の内容】
【０００４】
【課題を解決するための手段】
この発明に係わる侵入検知装置は、送信スペクトル拡散符号を放射する送信用漏洩伝送路と、侵入検知区域を挟んで上記送信用漏洩伝送路と対向して配置され上記送信スペクトル拡散符号を受信する受信用漏洩伝送路と、基準クロック信号を発生する基準クロック発生手段と、起動信号を出力する制御手段と、この制御手段からの上記起動信号で作動して上記基準クロック発生手段からの上記基準クロック信号を出力するスイッチ手段と、このスイッチ手段からの上記基準クロック信号から送信用拡散符号を生成し、上記送信用拡散符号で拡散変調された上記送信スペクトル拡散信号を発生する送信スペクトル拡散信号発生手段と、侵入を測定しようとする上記侵入検知区域を複数の領域に分割して、上記侵入検知区域の起点から上記各領域までの測定距離にそれぞれ対応するように設定され、上記測定距離に対応した遅延時間の参照用拡散符号を上記基準クロック信号から生成し、上記参照用拡散符号で拡散変調された参照スペクトル拡散信号を出力する複数の参照スペクトル拡散信号発生手段と、この参照スペクトル拡散信号発生手段と対応して、上記受信用漏洩伝送路が受信した上記送信スペクトル拡散信号と上記参照スペクトル拡散信号との相関をとり、位相が一致したときに相関信号を出力する複数の相関手段と、上記各遅延時間に対する上記相関信号の信号レベルの変動量が設定値以上のときに上記侵入検知区域への侵入を検知する検知手段とを備えたものである。
【手続補正４】
【補正対象書類名】明細書
【補正対象項目名】０００５
【補正方法】変更
【補正の内容】
【０００５】
また、送信スペクトル拡散信号を放射する送信用漏洩伝送路と、侵入検知区域を挟んで上記送信用漏洩伝送路と対向して配置され、上記送信スペクトル拡散信号を受信する受信用漏洩伝送路と、基準クロック信号を発生する基準クロック発生手段と、侵入を測定しようとする上記侵入検知区域を複数の領域に分割して、上記侵入検知区域の起点から上記各領域までの測定距離に対応した測定距離信号及び上記各測定距離に対応した遅延時間を出力し、起動信号を出力する制御手段と、この制御手段からの上記起動信号により作動して上記基準クロック発生手段からの上記基準クロック信号を出力するスイッチ手段と、上記基準クロック信号から送信用拡散符号を生成し、上記送信用拡散符号で拡散変調された上記送信スペクトル拡散信号を発生する送信スペクトル拡散信号発生手段と、上記制御手段からの上記遅延時間に対応するように設定され、上記遅延時間に対応した参照用拡散符号を上記基準クロック信号から生成し、上記参照用拡散符号で拡散変調された参照スペクトル拡散信号を出力する複数の参照スペクトル拡散信号発生手段と、この参照スペクトル拡散信号発生手段と対応し、上記受信用漏洩伝送路が受信した上記送信スペクトル拡散信号と上記参照スペクトル拡散信号との相関をとり、位相が一致したときに相関信号を出力する複数の相関手段と、上記遅延時間に対する上記相関信号の信号レベルの変動量が設定値以上のときに上記侵入検知区域への侵入を検知する検知手段とを備えたものである。
【手続補正５】
【補正対象書類名】明細書
【補正対象項目名】０００６
【補正方法】変更
【補正の内容】
【０００６】
さらに、送信スペクトル拡散信号を放射する送信用漏洩伝送路と、侵入検知区域を挟んで上記送信用漏洩伝送路と対向して配置され、上記送信スペクトル拡散信号を受信する受信用漏洩伝送路と、基準クロック信号を発生する基準クロック発生手段と、上記基準クロック信号から送信用拡散符号を生成し、上記送信用拡散符号で拡散変調された上記送信スペクトル拡散信号を出力し、上記送信用拡散符号の一周期毎にパルス信号を出力する送信スペクトル拡散信号発生手段と、侵入を測定しようとする上記侵入検知区域を複数の領域に分割して、上記侵入検知区域の起点から上記各領域までの測定距離に対応した測定距離信号及び上記各測定距離に対応した遅延時間を出力し、上記パルス信号によりスイッチ信号を出力する制御手段と、この制御手段からの上記スイッチ信号により作動されて上記基準クロック信号を出力するスイッチ手段と、上記遅延時間により所定の測定距離に対応するように設定され、上記制御手段からの上記遅延時間に対応した参照用拡散符号を上記基準クロック信号から生成し、上記参照用拡散符号で拡散変調された参照スペクトル拡散信号を出力する複数の参照スペクトル拡散信号発生手段と、この参照スペクトル拡散信号発生手段と対応し、上記受信用漏洩伝送路が受信した上記送信スペクトル拡散信号と上記参照スペクトル拡散信号との相関をとり、位相が一致したときに相関信号を出力する複数の相関手段と、上記遅延時間に対する上記相関信号の信号レベルの変動量が設定値以上のときに上記侵入検知区域への侵入を検知する検知手段とを備えたものである。
【手続補正６】
【補正対象書類名】明細書
【補正対象項目名】００２２
【補正方法】変更
【補正の内容】
【００２２】
【発明の効果】
この発明によれば、受信用漏洩伝送路が受信した送信スペクトル拡散信号と参照スペクトル拡散信号発生手段から出力された参照スペクトル拡散信号との相関を複数の相関手段でとり、位相が一致したときに出力される相関信号の信号レベルの変動量が設定値以上のときに侵入検知区域への侵入を検知することにより、複数の相関手段で相関をとるので、解析時間を短縮することができる。
また、制御手段により設定された遅延時間に対応した参照スペクトル拡散信号を各参照スペクトル拡散信号発生手段から出力し、受信用漏洩伝送路が受信した送信スペクトル拡散信号と参照スペクトル拡散信号とを複数の相関手段で相関をとり、位相が一致したときに出力される相関信号の信号レベルの変動量が設定値以上のときに侵入検知区域への侵入を検知することにより、複数の相関手段で相関をとるので、解析時間を短縮することができる。また、制御手段により参照スペクトル拡散信号発生手段に遅延時間を設定することにより、侵入検知区域への侵入を測定しようとする測定距離を設定できるので、広範囲の検知を行うことができる。
さらに、送信スペクトル拡散信号発生手段で生成された送信用拡散符号の一周期毎にパルス信号を出力し、パルス信号により作動されたスイッチ手段から参照スペクトル拡散信号発生手段に基準クロックを出力させるので、送信用拡散符号と受信用拡散符号との位相差の決定を容易に行うことができる。